(57)【要約】【課題】  本発明は、筐体上部に放熱ファンを設けた場合にも、放熱ファンによって装置の薄さが制限されることなく、装置の薄型化を実現することができるＡＶ機器を提供することを課題とする。【解決手段】  電源基板４と表示基板３との間には、軸心が後方側に傾いた状態で配置された放熱ファン５が設けられている。放熱ファン５によって、空気流入口から筐体１内に取り入れられた空気は、表示基板３と電源基板４との間に導かれて、表示基板３と電源基板４との位置する発熱素子から発せられる熱を吸熱し、電源基板４に形成された切り欠き部と空気排出口１２とを通って、筐体１の斜め後方に向けて排出される。【選択図】        図３
2005268343.tif 000002
【特許請求の範囲】
【請求項１】
筐体内に表示基板と電源基板とが収納され、奥行き方向を薄型化した縦置きタイプのＡＶ機器であって、
対向して配置させた前記表示基板と前記電源基板との間に、軸心が後方側に傾いた状態で配置された放熱ファンを具備し、
前記筐体に下部に形成された空気流入口から取り入れられた空気を、前記表示基板と前記電源基板との間を通して、前記筐体の上部に形成された空気排出口から排出することを特徴とするＡＶ機器。
【請求項２】
前記電源基板の前記放熱ファンに対向する箇所には、切り欠き部が形成されており、
前記筐体内の空気を、前記切り欠き部を通して前記空気排出口から排出することを特徴とする請求項１記載のＡＶ機器。
【発明の詳細な説明】
【技術分野】
【０００１】
本発明は、Ｄ級アンプを用いたＡＶ機器に関し、特に奥行き方向を薄型化した縦置きタイプのＡＶ機器に関する。
【背景技術】
【０００２】
近年、入力されたアナログ信号をパルス幅変調（ＰＷＭ）やパルス密度変調（ＰＤＭ）等で変調処理してデジタル信号に変換し、変換したデジタル信号をスイッチング素子でスイッチング増幅を行い、ローパスフィルタによってアナログ信号に戻す、いわゆるＤ級アンプの採用が増加している。
【０００３】
Ｄ級アンプは、スイッチング素子のＯＮ／ＯＦＦ処理によってアナログ信号の増幅を行うことができるため、理論的には１００％の電力効率が得られ、消費電力や発熱量が低いと共に、高出力が得られるという利点がある。このような利点から、Ｄ級アンプは、オーディオ装置やテレビ等のＡＶ（Audio Visual）機器に利用されており、さらに発熱量が低いという利点から省スペース化を実現でき、装置の薄型化が促進されている。
【０００４】
Ｄ級アンプの発熱量は低いものの、その他の電源基板や表示基板には、発熱体が存在するため、放熱ファンを利用した放熱対策を施す必要があり、奥行き方向を薄型化した縦置きタイプのＡＶ機器の場合には、筐体外に放熱する効率を考慮すると、筐体上部に放熱ファンを設けることが得策である（例えば、特許文献１参照）。
【０００５】
しかしながら、従来技術では、筐体上部に放熱ファンを設けた場合には、放熱ファンによって装置の薄さが制限されてしまい、薄型化が阻害されてしまうという問題点があった。
【特許文献１】特開平８−３１９９６号公報
【発明の開示】
【発明が解決しようとする課題】
【０００６】
本発明は斯かる問題点を鑑みてなされたものであり、その目的とするところは、筐体上部に放熱ファンを設けた場合にも、放熱ファンによって装置の薄さが制限されることなく、装置の薄型化を実現することができるＡＶ機器を提供する点にある。
【課題を解決するための手段】
【０００７】
本発明は上記課題を解決すべく、以下に掲げる構成とした。
本発明のＡＶ機器は、筐体内に表示基板と電源基板とが収納され、奥行き方向を薄型化した縦置きタイプのＡＶ機器であって、対向して配置させた前記表示基板と前記電源基板との間に、軸心が後方側に傾いた状態で配置された放熱ファンを具備し、前記筐体に下部に形成された空気流入口から取り入れられた空気を、前記表示基板と前記電源基板との間を通して、前記筐体の上部に形成された空気排出口から排出することを特徴とする。
【０００８】
さらに、本発明のＡＶ機器は、前記電源基板の前記放熱ファンに対向する箇所には、切り欠き部が形成されており、前記筐体内の空気を、前記切り欠き部を通して前記空気排出口から排出することを特徴とする。
【発明の効果】
【０００９】
本発明のＡＶ機器は、表示基板と電源基板との間に軸心が後方側に傾いた状態で配置された放熱ファンによって、筐体に下部に形成された空気流入口から取り入れられた空気が表示基板と電源基板との間を通って、筐体の上部に形成された空気排出口から排出されるように構成することにより、筐体上部に放熱ファンを設けても、放熱ファンによって装置の薄さが制限されることなく、装置の薄型化を実現することができ、さらに電源基板から発せられた熱を効率良く筐体外に放熱することができるという効果を奏する。
【００１０】
さらに、本発明のＡＶ機器は、電源基板の放熱ファンに対向する箇所に切り欠き部を形成し、筐体内の空気が切り欠き部を通って空気排出口から排出されるように構成することにより、放熱ファンを表示基板と電源基板との間に軸心が後方側に傾いた状態で配置しても、筐体内の空気を効率良く排出することができ、放熱効率を向上させることができるという効果を奏する。
【発明を実施するための最良の形態】
【００１１】
以下、本発明の実施の形態を図面に基づいて詳細に説明する。
【００１２】
図１は、本発明に係るＡＶ機器の実施の形態の構成を示す概略正面図であり、図２は、本発明に係るＡＶ機器の実施の形態の構成を示す概略背面図であり、図３は、図１および図２に示すＸ−Ｙ断面である。
【００１３】
本実施の形態のＡＶ機器は、図１を参照すると、奥行き方向を薄型化した縦置きタイプのオーディオアンプであり、筐体１の前面に、液晶ディスプレイ等の表示部３１が設けられている。
【００１４】
筐体１内には、図１乃至図３を参照すると、入力されたアナログ信号をパルス幅変調（ＰＷＭ）やパルス密度変調（ＰＤＭ）等で変調処理してデジタル信号に変換し、変換したデジタル信号をスイッチング素子でスイッチング増幅を行い、ローパスフィルタによってアナログ信号に戻して出力するＤ級アンプ基板２と、表示部３１が取り付けられ、表示部３１の表示内容を制御する表示基板３と、入力された交流電源を直流電源に変換してＤ級アンプ基板２および表示基板３に供給する電源基板４とが配置されている。
【００１５】
筐体１の下部には、筐体１内に空気を取り入れる空気流入口１１が形成されていると共に、筐体１の上部には、筐体１内に空気を外部に排出する空気排出口１２が形成されている。空気排出口１２は、図３に示すように、筐体１の背面側に向けて傾斜しており、空気排出口１２から排出される空気は、図３に矢印で示すように、斜め後方に向けて排出される。
【００１６】
Ｄ級アンプ基板２、表示基板３および電源基板４は、筐体１の前面と平行に、すなわち縦置きで配置されており、図１および図２に示すように、Ｄ級アンプ基板２が空気流入口１１の上方に、表示基板３および電源基板４が空気排出口１２の下方に配置されている。また、表示基板３と電源基板４とは、表示基板３が前面側になるように対向して配置されており、電源基板４に取り付けられているトランス４１やパワーＩＣ４２等の発熱素子は、表示基板３と電源基板４との間に位置するように構成されている。
【００１７】
電源基板４の上部には、図２を参照すると、切り欠き部４３が形成されており、切り欠き部４３と表示基板３との間には、図３を参照すると、放熱ファン５が配置されている。放熱ファン５は、軸心が後方側に傾いた状態で配置されており、放熱ファン５によって筐体１内から排出される空気は、切り欠き部４３および空気排出口１２を通って、筐体１の斜め後方に向けて排出される。
【００１８】
図１乃至図３には、空気の流れが矢印で示されており、放熱ファン５によって、空気流入口１１から筐体１内に取り入れられた空気は、表示基板３と電源基板４との間に導かれて、表示基板３と電源基板４との位置する発熱素子から発せられる熱を吸熱し、切り欠き部４３および空気排出口１２を通って、筐体１の斜め後方に向けて排出される。
【００１９】
以上説明したように、本実施の形態によれば、表示基板３と電源基板４との間に軸心が後方側に傾いた状態で配置された放熱ファン５によって、筐体１に下部に形成された空気流入口１１から取り入れられた空気が、表示基板３と電源基板４との間を通って、筐体１の上部に形成された空気排出口１２から排出されるように構成することにより、筐体１上部に放熱ファン５を設けても、放熱ファン５によって装置の薄さが制限されることなく、装置の薄型化を実現することができ、さらに電源基板４から発せられた熱を効率良く筐体１外に放熱することができるという効果を奏する。
【００２０】
さらに、本実施の形態によれば、電源基板４の放熱ファン５に対向する箇所に切り欠き部４３を形成し、筐体１内の空気が切り欠き部４３を通って空気排出口１２から排出されるように構成することにより、放熱ファン５を表示基板３と電源基板４との間に軸心が後方側に傾いた状態で配置しても、筐体１内の空気を効率良く排出することができ、放熱効率を向上させることができるという効果を奏する。
【００２１】
なお、本発明が上記各実施の形態に限定されず、本発明の技術思想の範囲内において、各実施の形態は適宜変更され得ることは明らかである。また、上記構成部材の数、位置、形状等は上記実施の形態に限定されず、本発明を実施する上で好適な数、位置、形状等にすることができる。なお、各図において、同一構成要素には同一符号を付している。
【図面の簡単な説明】
【００２２】
【図１】本発明に係るＡＶ機器の実施の形態の構成を示す概略正面図である。
【図２】本発明に係るＡＶ機器の実施の形態の構成を示す概略背面図である。
【図３】図１および図２に示すＸ−Ｙ断面である。
【符号の説明】
【００２３】
１  筐体
２  Ｄ級アンプ基板
３  表示基板
４  電源基板
５  放熱ファン
１１  空気流入口
１２  空気排出口
３１  表示部
４１  トランス
４２  パワーＩＣ
４３  切り欠き部
【図１】
2005268343.tif 000003
【図２】
2005268343.tif 000004
【図３】
2005268343.tif 000005